(57)【要約】【課題】分離型空気調和機の室内ユニット上に設けられた電装箱の湿った空気の流れを防ぐと共に、プリント基板へのコーティングを削減してコスト低減を図る。【解決手段】室温センサー４近傍に設けられた開口部７に対して、電装箱下部１の構造を凸形状８にし、プリント基板３の実装部品より高く形成することで、容易にプリント基板部品面側及びはんだ面側のコーティング材１３を削減することができる。【選択図】図１
2007192493.tif 000002
【特許請求の範囲】
【請求項１】
室温センサーと受信ＩＣと発光素子とコネクタを実装したプリント基板において、前記プリント基板を収納するための分割された電装箱を備えた室内ユニットにあって、前記室温センサーで室内温度を測るために前記電装箱及びプリント基板の前記室温センサー近傍に内気が流入される開口部を設けかつ、前記電装箱を凸形状に形成し、前記プリント基板の開口部より突き出すことを特徴とする分離型空気調和機の室内ユニット。
【発明の詳細な説明】
【技術分野】
【０００１】
本発明は、プリント基板に室温センサーが実装されたものにおいて、結露防止のコ−ティング塗布なく室内空気を流し温度検出を容易に実現するため分離型空気調和機の室内ユニットに関するものである。
【背景技術】
【０００２】
従来、この種の分離型空気調和機の室内ユニットは、室温センサーが表示用発光素子と受信ＩＣとともに同一プリント基板上に実装されたものを設けており、このプリント基板を収納する電装箱上に室温センサーにて室温検出するための風回路を構成する目的でプリント基板とともに開口部を設けた構造となっている。また、その他の実施例として表示用発光素子と受信ＩＣを同一プリント基板上に実装されたものを電装箱に収納した構造となっている。（例えば、特許文献１参照）。
【０００３】
図４及び図５、図６は、特許文献１に記載された従来の分離型空気調和機の室内ユニットに取付けた電装箱を示すものである。図４に示すように、プリント基板３００上に室温センサー４００と受信ＩＣ５００と発光素子６００とコネクタ８００が実装されているものが、電装箱ａ１００の上に収納され、電装箱ｂ２００によって覆われた構造になっている。また前記室温センサーに対向する位置に開口部７００が前記プリント基板３００及び前記電装箱ａ１００にそれぞれ設けられており、この開口部７００より室温を検出するために風が流れを確保する構造となっている。この際に湿った空気が前記開口部７００を通過し、前記室温センサー４００を抜けて行く前に、前記プリント基板３００のはんだ面側及び部品面側にも湿った空気が流れるためコーティング材９００を図４及び図５に示す通り部品面側部品の前記コネクタ８００に塗布するとともにはんだ面側リード部についても塗布する必要が発生するものである。
【特許文献１】特開２００２−９８３５２号公報
【発明の開示】
【発明が解決しようとする課題】
【０００４】
しかしながら、前記従来の構成では、プリント基板上に実装されたコネクタ等の部品面リード部及びはんだ面側接続部においてコーティング材を塗布する作業が必要となり、コストアップ及び電子制御装置完成に時間を多く要するという課題を有していた。
【０００５】
本発明は、前記従来の課題を解決するもので、プリント基板上に実装されたコネクタ等の部品面リード部及びはんだ面側接続部において、コーティング材を塗布することなく室内の湿って空気による絶縁低下を防止することを実現するとともに、コスト及び作業時間を低減することを目的とする。
【課題を解決するための手段】
【０００６】
前記従来の課題を解決するために、本発明の分離型空気調和機の室内ユニットは、室温センサーと受信ＩＣと発光素子とコネクタを実装したプリント基板において、プリント基板を収納するための分割された電装箱を備え、室温センサーで室内温度を測るために電装箱及びプリント基板の室温センサー近傍に内気が流入される開口部を設けかつ、前記電装箱下部を凸形状に形成するものである。
【０００７】
これによって、プリント基板上に実装されたコネクタ等の部品面リード部及びはんだ面側接続部において、コーティング材を塗布することなく室内の湿った空気による絶縁低下を防止することを実現するとともに、コスト及び作業時間を低減することが可能となる。
【発明の効果】
【０００８】
本発明の分離型空気調和機の室内ユニットは、プリント基板上に実装されたコネクタ等の部品面リード部及びはんだ面側接続部において、コーティング材を塗布することなく室内の湿って空気による絶縁低下を防止することを実現するとともに、コスト及び作業時間を低減することが実現できる。
【発明を実施するための最良の形態】
【０００９】
本発明の分離型空気調和機の室内ユニットは、室温センサーと受信ＩＣと発光素子とコネクタを実装したプリント基板において、プリント基板を収納するための分割された電装箱を備え室温センサーで室内温度を測るために電装箱及びプリント基板の室温センサー近傍に内気が流入される開口部を設けかつ前記電装箱下部を凸形状に形成することで、プリント基板上に実装されたコネクタ等の部品面リード部及びはんだ面側接続部においてコーティング材を塗布することなく室内の湿った空気による絶縁低下を防止することを実現するとともに、コスト及び作業時間低減することが実現できる。
【００１０】
以下、本発明の実施の形態について、図面を参照しながら説明する。なお、この実施の形態によって本発明が限定されるものではない。
【００１１】
（実施の形態１）
図１は、本発明の実施の形態１における分離型空気調和機の室内ユニットの電装箱凸形状を示す斜視図である。
【００１２】
図１において、１は電装箱ａ（下部）であり、２は前記電装箱ａと勘合する電装箱ｂ（上部）である。また、３は前記電装箱ａの上に搭載されるプリント基板であり、このプリント基板３上に室温センサー４及び受信ＩＣ５、発光素子６が実装されている。また、前記プリント基板３は、前記室温センサー４近傍に対向する位置に開口部７を設けるとともに前記開口部７を貫通する前記電装箱ａの凸部８を設ける。また、前記プリント基板３に電気的接続するためのコネクタ９を設けたものである。
【００１３】
図２は、本発明の実施の形態１における分離型空気調和機の室内ユニットの電装箱凸形状を示す側面図であり、プリント基板３に実装されている室温センサー４は、電装箱ａ１の凸部８に接触しない高さに固定されている。また、前記凸部８が、前記プリント基板３の開口部７を貫通している状態を示すものである。
【００１４】
図３は、本発明の実施の形態１における分離型空気調和機の室内ユニットの電装箱に搭載されているプリント基板の下面図であり、前記プリント基板３のはんだ面側リード端子の中でインピーダンスが高い箇所にコーティング材１０が塗布されている。また、コネクタ９についても部品面側のコーティング材１０塗布はなく、はんだ面側の一部のみ塗布となっている。
【００１５】
以上のように構成された前記電装箱下部の凸形状により湿った空気による絶縁低下防止について、以下その動作、作用を説明する。
【００１６】
図１において最初に、プリント基板３に設けられている開口部７に電装箱ａ１の凸部８を貫通させるように取付け、電装箱ｂ２を上部より取付け固定する。この際に前記凸部８を前記プリント基板３に実装されている電子部品より高い位置まで伸ばした形状とする。
【００１７】
次に、室内の湿った空気の流れについて説明をすると、電装箱ａの底面より空気が上面に向けて流れ前記凸部８を抜けて前記室温センサー４を通過して前面へ抜けていく。この
際に前記凸部８を通るために前記プリント基板３のはんだ面側には空気は流れず、また部品面側についても直接湿った空気が電子部品側に流れることはなく前記プリント基板３より上面側に突出した距離だけ離れた構造となる。
【００１８】
以上のように、本実施の形態においては、室温センサーと受信ＩＣと発光素子とコネクタを実装したプリント基板において、プリント基板を収納するための分割された電装箱を備え、室温センサーで室内温度を測るために電装箱及びプリント基板の室温センサー近傍に内気が流入される開口部を設けかつ前記電装箱下部を凸形状に形成することで、プリント基板上に実装されたコネクタ等の部品面リード部及びはんだ面側接続部において、コーティング材を塗布することなく室内の湿った空気による絶縁低下を防止することを実現するとともに、コスト及び作業時間低減することが実現できる。
【産業上の利用可能性】
【００１９】
以上のように、本発明の分離型空気調和機の室内ユニットは、室温センサーなどの電子部品を実装したプリント基板で、プリント基板を収納するための分割された電装箱を備え、内気が流入される開口部を設けかつ、前記電装箱下部を凸形状に形成することにより、プリント基板上に実装されたコネクタ等の部品面リード部及びはんだ面側接続部において、コーティング材を塗布することなく室内の湿って空気による絶縁低下を防止することが可能となるので、空気調和機及びプリント基板の形状に関係なく、湿った空気による絶縁低下を防止することの用途にも適用できる。
【図面の簡単な説明】
【００２０】
【図１】本発明の実施の形態１における分離型空気調和機の室内ユニットの電装箱凸形状を示す斜視図
【図２】本発明の実施の形態１における分離型空気調和機の室内ユニットの電装箱凸形状を示す側面図
【図３】本発明の実施の形態１における分離型空気調和機の室内ユニットの電装箱に搭載されているプリント基板の下面図
【図４】従来の分離型空気調和機の室内ユニットの電装箱形状を示す斜視図
【図５】従来の分離型空気調和機の室内ユニットの電装箱形状を示す側面図
【図６】従来の分離型空気調和機の室内ユニットの電装箱に搭載されているプリント基板の下面図
【符号の説明】
【００２１】
１  電装箱a(下部)
２  電装箱ｂ（上部）
３  プリント基板
４  室温センサー
５  受信ＩＣ
６  発光素子（ＬＥＤ）
７  開口部
８  凸部
９  コネクタ
１０  コーティング材
【図１】
2007192493.tif 000003
【図２】
2007192493.tif 000004
【図３】
2007192493.tif 000005
【図４】
2007192493.tif 000006
【図５】
2007192493.tif 000007
【図６】
2007192493.tif 000008